(57)【要約】  【課題】プロジェクタ付き電子カメラの投影動作モードを使いやすくする。  【解決手段】プロジェクタ付き電子カメラ１０は、投影モードに切替えられると、撮影レンズ１１の鏡筒Ｐを筐体内へ沈胴する。プロジェクタ付き電子カメラ１０は、投影モードに切替えられると、投影画像の向きを回転させるための操作部材としてレリーズボタン１４を扱うように機能変更する。プロジェクタ付き電子カメラ１０は、レリーズボタン１４から操作信号が入力されると、メモリ上で画像データを時計回転回りに９０度回転させた上で、回転処理後の画像がプロジェクタ部１２０（図３）による投影範囲に収まるように投影画像のアスペクト比に応じたサイズ変換処理を施してプロジェクタ部１２０から投影する。プロジェクタ付き電子カメラ１０は、投影モードに切替えられると、メモリカードに記録されている画像データによる再生画像を自動的にスライドショー投影する。  【選択図】図１
2006222547.tif 000002
【特許請求の範囲】
【請求項１】
撮影手段と、
光学像を投影する投影手段と、
前記撮影手段によって撮影された画像データを撮影画像ファイルとして記録媒体に保存する撮影動作モードと、前記撮影手段によって撮影された画像の再生画像を前記投影手段に投影させる投影動作モードとの切替え操作が行われるモード切替え操作部材と、
前記モード切替え操作部材から前記投影動作モードへの切替え操作信号を受けると、自動的に前記投影手段に、前記記録媒体に保存されている複数の撮影画像ファイルを順次再生して投影させる投影制御手段とを備えることを特徴とするプロジェクタ付き電子カメラ。
【請求項２】
撮影手段と、
光学像を投影する投影手段と、
前記撮影手段によって撮影された画像データを画像ファイルとして記録媒体に保存する撮影動作モードと、前記撮影手段によって撮影された画像の再生画像を前記投影手段に投影させる投影動作モードとの切替え操作が行われるモード切替え操作部材と、
撮影光学系を沈胴させる沈胴手段と、
前記モード切替え操作部材から前記投影動作モードへの切替え操作信号を受けると、前記沈胴手段へ沈胴を指示する投影制御手段とを備えることを特徴とするプロジェクタ付き電子カメラ。
【請求項３】
請求項１または２に記載のプロジェクタ付き電子カメラにおいて、
前記撮影手段に撮影開始を指示するレリーズ操作部材をさらに備え、
前記投影制御手段は、前記投影動作モードへの切替え操作信号を受けた後に前記レリーズ操作部材が操作されると、前記投影手段によって投影される投影画像を所定角度回転させることを特徴とするプロジェクタ付き電子カメラ。
【請求項４】
載置されている電子カメラとの間で通信を行うインターフェイス手段、光学像を投影する投影手段、および前記電子カメラの載置を検出すると、自動的に前記投影手段を投影準備状態とするとともに、前記電子カメラの記録媒体に保存されている複数の撮影画像ファイルに基づく再生画像を順次投影させる投影制御手段を備える電子カメラ用補助装置と、
前記電子カメラ用補助装置との間で通信を行う電子カメラとを備えることを特徴とする電子カメラシステム。
【請求項５】
請求項４に記載の電子カメラシステムにおいて、
前記電子カメラ用補助装置は、前記電子カメラが載置されると前記電子カメラへ撮影光学系の沈胴を指示する信号を送ることを特徴とする電子カメラシステム。
【請求項６】
電気的に接続されている電子カメラとの間で通信を行うインターフェイス手段、光学像を投影する投影手段、および前記電子カメラが再生モードにされていることを示す信号を受けると、自動的に前記投影手段を投影準備状態とするとともに、前記電子カメラの記録媒体に保存されている複数の撮影画像ファイルに基づく再生画像を順次投影させる投影制御手段を備える電子カメラ用補助装置と、
前記電子カメラ用補助装置との間で通信を行う電子カメラとを備えることを特徴とする電子カメラシステム。
【請求項７】
載置されている電子カメラとの間で通信および電力供給の少なくとも一方を行うインターフェイス手段を備える電子カメラ用補助装置と、
光学像を投影する投影手段、および前記電子カメラ用補助装置への載置を検出すると、自動的に前記投影手段に、記録媒体に保存されている複数の撮影画像ファイルに基づく再生画像を順次投影させる投影制御手段を有する電子カメラとを備えることを特徴とする電子カメラシステム。
【請求項８】
載置されている電子カメラとの間で通信および電力供給の少なくとも一方を行うインターフェイス手段を備える電子カメラ用補助装置と、
光学像を投影する投影手段、撮影光学系を沈胴させる沈胴手段、前記電子カメラ用補助装置への載置を検出すると、前記沈胴手段へ沈胴を指示する沈胴制御手段、および前記電子カメラ用補助装置への載置を検出すると、前記投影手段による投影の開始を指示する投影制御手段を有する電子カメラとを備えることを特徴とする電子カメラシステム。
【発明の詳細な説明】
【技術分野】
【０００１】
本発明は、画像などの情報を投影するプロジェクタ装置を備える電子カメラに関する。
【背景技術】
【０００２】
プロジェクタ機能を搭載した電子カメラが知られている（特許文献１）。特許文献１によれば、プロジェクションモードスイッチやビデオ再生ボタンの操作によってプロジェクタ装置が作動するモードにされる。また、電子カメラをプロジェクタに電気的に接続して、電子カメラによる撮影画像を投影することが行われている。
【０００３】
【特許文献１】特開平８−１４６５１２号公報
【発明の開示】
【発明が解決しようとする課題】
【０００４】
プロジェクタ装置が作動する投影動作モードに切替えた以降にも、投影する画像の選択などの、投影に至るまでの操作が必要で煩わしい。
【課題を解決するための手段】
【０００５】
請求項１に記載の発明によるプロジェクタ付き電子カメラは、撮影手段と、光学像を投影する投影手段と、撮影手段によって撮影された画像データを撮影画像ファイルとして記録媒体に保存する撮影動作モードと、撮影手段によって撮影された画像の再生画像を投影手段に投影させる投影動作モードとの切替え操作が行われるモード切替え操作部材と、モード切替え操作部材から投影動作モードへの切替え操作信号を受けると、自動的に投影手段に、記録媒体に保存されている複数の撮影画像ファイルを順次再生して投影させる投影制御手段とを備えることを特徴とする。
請求項２に記載の発明によるプロジェクタ付き電子カメラは、撮影手段と、光学像を投影する投影手段と、撮影手段によって撮影された画像データを画像ファイルとして記録媒体に保存する撮影動作モードと、撮影手段によって撮影された画像の再生画像を投影手段に投影させる投影動作モードとの切替え操作が行われるモード切替え操作部材と、撮影光学系を沈胴させる沈胴手段と、モード切替え操作部材から投影動作モードへの切替え操作信号を受けると、沈胴手段へ沈胴を指示する投影制御手段とを備えることを特徴とする。
上記プロジェクタ付き電子カメラはさらに、撮影手段に撮影開始を指示するレリーズ操作部材を備えてもよい。この場合の投影制御手段は、投影動作モードへの切替え操作信号を受けた後にレリーズ操作部材が操作されると、投影手段によって投影される投影画像を所定角度回転させることもできる。
請求項４に記載の発明による電子カメラシステムは、載置されている電子カメラとの間で通信を行うインターフェイス手段、光学像を投影する投影手段、および電子カメラの載置を検出すると、自動的に投影手段を投影準備状態とするとともに、電子カメラの記録媒体に保存されている複数の撮影画像ファイルに基づく再生画像を順次投影させる投影制御手段を備える電子カメラ用補助装置と、電子カメラ用補助装置との間で通信を行う電子カメラとを備えることを特徴とする。
上記電子カメラシステムにおいて、電子カメラが載置されると電子カメラへ撮影光学系の沈胴を指示する信号を送るように電子カメラ用補助装置を構成してもよい。
請求項６に記載の発明による電子カメラシステムは、電気的に接続されている電子カメラとの間で通信を行うインターフェイス手段、光学像を投影する投影手段、および電子カメラが再生モードにされていることを示す信号を受けると、自動的に投影手段を投影準備状態とするとともに、電子カメラの記録媒体に保存されている複数の撮影画像ファイルに基づく再生画像を順次投影させる投影制御手段を備える電子カメラ用補助装置と、電子カメラ用補助装置との間で通信を行う電子カメラとを備えることを特徴とする。
請求項７に記載の発明による電子カメラシステムは、載置されている電子カメラとの間で通信および電力供給の少なくとも一方を行うインターフェイス手段を備える電子カメラ用補助装置と、光学像を投影する投影手段、および電子カメラ用補助装置への載置を検出すると、自動的に投影手段に、記録媒体に保存されている複数の撮影画像ファイルに基づく再生画像を順次投影させる投影制御手段を有する電子カメラとを備えることを特徴とする。
請求項８に記載の発明による電子カメラシステムは、載置されている電子カメラとの間で通信および電力供給の少なくとも一方を行うインターフェイス手段を備える電子カメラ用補助装置と、光学像を投影する投影手段、撮影光学系を沈胴させる沈胴手段、電子カメラ用補助装置への載置を検出すると、沈胴手段へ沈胴を指示する沈胴制御手段、および電子カメラ用補助装置への載置を検出すると、投影手段による投影の開始を指示する投影制御手段を有する電子カメラとを備えることを特徴とする。
【発明の効果】
【０００６】
請求項１に記載の発明によるプロジェクタ付き電子カメラでは、投影手段によって画像の投影を行う投影動作モードへの切替え操作信号を受けると、記録媒体に保存されている複数の撮影画像ファイルを順次再生して投影させるようにしたので、画像を投影するまでの操作を簡略化できる。
請求項２に記載の発明によるプロジェクタ付き電子カメラでは、投影手段によって画像の投影を行う投影動作モードへの切替え操作信号を受けると、撮影光学系を沈胴させるようにしたので、画像を投影するまでの操作を簡略化できる。
請求項４に記載の発明による電子カメラシステムでは、電子カメラの載置を検出すると、電子カメラ用補助装置が電子カメラの記録媒体に保存されている複数の撮影画像ファイルに基づく再生画像を順次投影するように構成したので、画像を投影するまでの操作を簡略化できる。
請求項６に記載の発明による電子カメラシステムでは、電子カメラが再生モードにされていることを示す信号を受けると、電子カメラ用補助装置が電子カメラの記録媒体に保存されている複数の撮影画像ファイルに基づく再生画像を順次投影するように構成したので、画像を投影するまでの操作を簡略化できる。
請求項７に記載の発明による電子カメラシステムでは、電子カメラが電子カメラ用補助装置への載置を検出すると、記録媒体に保存されている複数の撮影画像ファイルに基づく再生画像を順次投影するように構成したので、画像を投影するまでの操作を簡略化できる。
請求項８に記載の発明による電子カメラシステムでは、電子カメラが電子カメラ用補助装置への載置を検出すると、撮影光学系の沈胴を指示するように構成したので、画像を投影するまでの操作を簡略化できる。
【発明を実施するための最良の形態】
【０００７】
以下、図面を参照して本発明を実施するための最良の形態について説明する。
（第一の実施形態）
図１は、本発明の第一の実施形態によるプロジェクタ付き電子カメラを前方側から見た斜視図である。図１において、プロジェクタ付き電子カメラ１０の正面には、撮影レンズ１１と、照明光窓１２と、プロジェクタ投射窓１３とが設けられている。プロジェクタ付き電子カメラ１０の上面には、レリーズボタン１４と、モード切替ダイヤル１５と、メインスイッチ１６とが設けられている。
【０００８】
図２は、図１のプロジェクタ付き電子カメラを後方側から見た斜視図である。図２において、プロジェクタ付き電子カメラ１０の背面には、液晶表示器１７と、電子ビューファインダー１８と、操作部材１９と、スピーカ孔２０とが設けられている。
【０００９】
プロジェクタ付き電子カメラ１０には、後述するプロジェクタ装置（プロジェクタ部）が搭載されており、たとえば、机上に載置されたプロジェクタ付き電子カメラ１０の正面側に配設されるスクリーンなどに向けて、画像などの情報をプロジェクタ投射窓１３から投影する。プロジェクタ付き電子カメラ１０は、スピーカ孔２０の裏側にスピーカ２１を内蔵しており、音声などの情報を電子カメラ１０の後方へ向けて再生する。
【００１０】
モード切替えダイヤル１５は、撮影モードや投影モードなどのプロジェクタ付き電子カメラ１０の動作モードを切替えるためのモード切替え操作部材である。撮影モードは、被写体像を撮影し、撮影した画像データをメモリカードなどで構成される記録媒体に撮影画像ファイルとして保存する動作モードである。静止画撮影の場合は静止画像ファイルが生成され、動画撮影の場合には動画像ファイルが生成される。撮影動作モードにおいて、プロジェクタ付き電子カメラ１０は、主としてハンドホールドで用いられる。撮影指示は、レリーズボタン１４の押下操作によって行われる。プロジェクタ付き電子カメラ１０には、後述する照明装置が搭載されており、キセノン管などの発光体から発せられた光が照明光窓１２からプロジェクタ付き電子カメラ１０の正面に向けて射出される。撮影モードでは、スピーカ孔２０の裏側にスピーカ２１とともに内蔵されるマイクにより集音した音声のデータを、記録媒体に保存することも可能に構成されている。
【００１１】
投影モードは、撮影済みの画像データを記録媒体（たとえば、後述するメモリカード２５０や不図示の内部メモリ）から読出すなどして、画像データによる再生画像をプロジェクタ部によってプロジェクタ投射窓１３から投影する動作モードである。上述したスピーカ２１からの音声再生は、投影モードにおいて作動する。なお、投影モードでは、記録媒体以外から読出された画像データや、プロジェクタ付き電子カメラ１０の外部から供給される画像データによる再生画像を投影することも可能に構成されている。
【００１２】
プロジェクタ付き電子カメラ１０には、プロジェクタ投射窓１３から投影された光が撮影レンズ１１のレンズ鏡筒Ｐでけられることがないように、レンズ鏡筒Ｐをカメラ筐体内に沈胴させる沈胴機構が設けられている。
【００１３】
図３は、以上説明したプロジェクタ付き電子カメラ１０の構成を説明するブロック図である。図３において、プロジェクタ付き電子カメラ１０はプロジェクタ部１２０と、撮像部２２０と、ＣＰＵ１０１と、メモリ１０２と、操作部材１０３と、液晶表示器１０４と、スピーカ１０５と、マイク１０６と、外部インターフェイス(I/F)１０７と、照明装置１０８とを有する。不図示のカードスロットには、メモリカード２５０とオプションとしてのチューナーカード２５５とが実装されている。両カードは着脱可能である。
【００１４】
ＣＰＵ１０１は、制御プログラムに基づいて、プロジェクタ付き電子カメラ１０を構成する各部から入力される信号を用いて所定の演算を行うなどして、プロジェクタ付き電子カメラ１０の各部に対する制御信号を送出することにより、撮影動作および投影動作の制御を行う。なお、制御プログラムはＣＰＵ１０１内の不図示の不揮発性メモリに格納されている。
【００１５】
メモリ１０２はＣＰＵ１０１の作業用メモリとして使用される。操作部材１０３は、図１におけるメインスイッチ１６、レリーズボタン１４、モード切替えダイヤル１５、および図２における操作部材１９に対応する。操作部材１０３は、操作内容に対応する操作信号をＣＰＵ１０１へ送出する。
【００１６】
メモリカード２５０はフラッシュメモリなどの不揮発性メモリによって構成され、ＣＰＵ１０１の指令により撮像部２２０で撮影された画像データなどのデータの書き込み、保存および読み出しが可能である。チューナーカード２５５はテレビ放送を受信して復調し、復調後の画像データおよび音声データをＣＰＵ１０１へ送出する。
【００１７】
照明装置１０８は、ＣＰＵ１０１からの発光指示に応じて発光体を発光させ、被写体を照明する照明光を照明光窓１２からプロジェクタ付き電子カメラ１０の正面に向けて射出する。
【００１８】
液晶表示器１０４（図２において１７）は、ＣＰＵ１０１の指令により画像やテキストなどの情報を表示する。テキスト情報は、プロジェクタ付き電子カメラ１０の動作状態、操作メニューなどであるスピーカ１０５（図２において２１）は、ＣＰＵ１０１から出力される音声データによる音声を再生する。
【００１９】
マイク１０６は、集音した音声を電気信号に変換してＣＰＵ１０１へ送出する。音声信号のデータは、撮影モード時にメモリカード２５０に記録される。
【００２０】
外部インターフェイス(I/F)１０７は、ビデオカメラなどの外部機器から送信されるビデオ信号による再生画像を液晶表示器１０４に表示させたりプロジェクタ部１２０に投影させたりするために、ビデオ信号を画像データに変換し、変換後の画像データをＣＰＵ１０１へ送出する。また、外部インターフェイス(I/F)１０７は、外部機器から送信される音声信号による音声をスピーカ１０５で再生させるための音声データに変換し、変換後の音声データをＣＰＵ１０１へ送出する。
【００２１】
（プロジェクタ部）
プロジェクタ部１２０は、投影レンズ１２１と、液晶パネル１２２と、ＬＥＤ光源１２３と、プロジェクタ部制御回路１２４と、レンズ駆動回路１２５とを含む。プロジェクタ部制御回路１２４は、ＣＰＵ１０１から出力される投影指令に応じてＬＥＤ光源１２３に駆動電流を供給する。ＬＥＤ光源１２３は、供給された電流に応じた明るさで液晶パネル１２２を照明する。
【００２２】
プロジェクタ部制御回路１２４はさらに、ＣＰＵ１０１から送出される画像データに応じて液晶パネル駆動信号を生成し、生成した駆動信号で液晶パネル１２２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源１２３からの光を変調することにより、液晶パネル１２２が光像を生成する。
【００２３】
レンズ駆動回路１２５は、プロジェクタ部制御回路１２４から出力される制御信号に基づいて、投影レンズ１２１を光軸に対して直交する方向へ進退駆動する。投影レンズ１２１は、液晶パネル１２２から射出される光像をスクリーンなどへ向けて投射する。
【００２４】
プロジェクタ部１２０は、ＣＰＵ１０１の指令により下記（１）〜（４）のいずれかに対応する画像を投影する。ＣＰＵ１０１は、操作部材１０３を構成する投影切替えスイッチ（たとえば、図２において１９Ａ）から操作信号が入力されるごとに、下記の（１）〜（４）の投影画像を（１）→（２）→（３）→（４）→（１）…の順にサイクリックに切替えるように、各画像に対応する画像データをプロジェクタ部１２０へ送出する。ただし、プロジェクタ付き電子カメラ１０にメモリカード２５０が装着されていない場合には（１）がスキップされ、チューナーカード２５５が装着されていない場合には（２）がスキップされる。また、外部インターフェイス(I/F)１０７に外部機器が接続されていない場合には（４）がスキップされる。
【００２５】
（１）メモリカード２５０に記録されている画像データによる再生画像
（２）チューナーカード２５５で受信・復調された放送画像
（３）内部メモリ（ＣＰＵ１０１内の不揮発性メモリなど）に記録されている画像データによる再生画像
（４）外部インターフェイス(I/F)１０７から入力されたビデオ信号による再生画像
【００２６】
ＣＰＵ１０１は、上記（１）または（３）に対応する画像を投影する場合、記録日時が最も新しい（記録されている画像データの中で最後に撮影されたもの）画像データをメモリカード２５０（もしくは内部メモリ）から順に読出し、読出した画像データをプロジェクタ部１２０へ送出する。
【００２７】
プロジェクタ部１２０が１コマの静止画像を再生するモードに設定されている場合、ＣＰＵ１０１は、上記（１）または（３）に対応する画像が投影されている状態で操作部材１０３を構成する後戻しスイッチから操作信号（たとえば、十字キーによる左方向操作）が入力されると、投影中の画像より１コマ前の画像データをメモリカード２５０（もしくは内部メモリ）から読出してプロジェクタ部１２０へ送出する。これにより、投影中の画像に代えて１コマ前の画像がプロジェクタ部１２０により投影される。
【００２８】
ＣＰＵ１０１は、上記（１）または（３）に対応する画像が投影されている状態で操作部材１０３を構成する先送りスイッチから操作信号（たとえば、十字キーによる右方向操作）が入力されると、投影中の画像より１コマ後の画像データをメモリカード２５０（もしくは内部メモリ）から読出してプロジェクタ部１２０へ送出する。これにより、投影中の画像に代えて１コマ後の画像がプロジェクタ部１２０により投影される。上記の先送りスイッチおよび後戻しスイッチを上面に設ける構成とすれば、これらスイッチの操作に伴って、カメラが動いて投影中の画像の位置が移動するおそれを低減できる。
【００２９】
（撮像部）
撮像部２２０は、撮影レンズ２２１（図１において１１）と、イメージセンサ２２２と、レンズ駆動回路２２３と、撮像部制御回路２２４と、鏡筒沈胴機構２２５とを含む。イメージセンサ２２２としては、ＣＣＤやＣＭＯＳ撮像素子などが用いられる。撮像部制御回路２２４は、ＣＰＵ１０１からの指令によりイメージセンサ２２２およびレンズ駆動回路２２３を駆動制御するとともに、イメージセンサ２２２から出力される撮像信号（蓄積電荷信号）に対して所定の画像処理を行う。画像処理は、ホワイトバランス処理やガンマ処理などである。
【００３０】
レンズ駆動回路２２３は、撮像部制御回路２２４からズーム制御信号を受けると、制御信号に応じて撮影レンズ２２１を構成するズームレンズ（不図示）をテレ側もしくはワイド側へ駆動する。撮影レンズ２２１は、イメージセンサ２２２の撮像面上に被写体像を結像させる。撮像部制御回路２２４はイメージセンサ２２２に撮像を開始させ、撮像終了後にイメージセンサ２２２から蓄積電荷信号を読出し、上記画像処理を施した上で画像データとしてＣＰＵ１０１へ送出する。
【００３１】
また、撮像部制御回路２２４は、ＣＰＵ１０１からの指令に応じて鏡筒沈胴機構２２５へ指令を送り、撮影レンズ２２１の鏡筒Ｐ（図１）をプロジェクタ付き電子カメラ１０の筐体内に沈胴させたり、筐体内に沈胴されている鏡筒Ｐを撮影時の状態（図１）まで繰出させたりする。
【００３２】
本発明は、上記プロジェクタ付き電子カメラ１０が投影モードに切替えられた場合の動作に特徴を有するので、投影モード起動時にＣＰＵ１０１によって行われる制御を中心に説明する。
【００３３】
図４は、プロジェクタ付き電子カメラ１０のＣＰＵ１０１が投影モード時に実行するプログラムによる処理の流れを説明するフローチャートである。図４による処理は、投影モードへ切替えを指示する操作信号がモード切替えダイヤル１５からＣＰＵ１０１へ入力されると起動する。
【００３４】
図４のステップＳ１において、ＣＰＵ１０１は、撮像部制御回路２２４へ撮像部オフを指示するとともに、液晶表示器１０４の表示オフを指示してステップＳ２へ進む。これにより、撮像部２２０における撮像動作が停止し、液晶表示器１０４による表示が停止する。
【００３５】
ステップＳ２において、ＣＰＵ１０１は、レンズ鏡筒Ｐが沈胴状態か否かを判定する。ＣＰＵ１０１は、撮像部制御回路２２４から沈胴状態を示す信号を受けるとステップＳ２を肯定判定してステップＳ４へ進み、非沈胴状態を示す信号を受けた場合にはステップＳ２を否定判定し、ステップＳ３へ進む。
【００３６】
ステップＳ３において、ＣＰＵ１０１は、撮像部制御回路２２４へ沈胴指令（指示）を送出してステップＳ４へ進む。ステップＳ４において、ＣＰＵ１０１は、プロジェクタ部制御回路１２４へ投影開始を指示するとともに、レリーズボタン１４（図１）の機能変更を行ってステップＳ５へ進む。これにより、プロジェクタ部１２０においてＬＥＤ光源１２３が点灯される。
【００３７】
ＣＰＵ１０１がステップＳ４の機能変更を行うことにより、後述するステップＳ１１においてレリーズボタン１４（図１）の機能変更を解除するまで、レリーズボタン１４は撮影指示のための操作部材ではなく、投影画像の向きを回転させるための操作部材として扱われる。
【００３８】
投影画像の回転は以下のように行われる。図５は、横向き画像が投影された例を示す図である。プロジェクタ付き電子カメラ１０を縦位置に構えて撮影された撮影画像は、プロジェクタ付き電子カメラ１０を横位置（図１および図２の向き）に載置した状態で投影すると、図５に示すように再生画像が横向きに投影される。
【００３９】
ＣＰＵ１０１は、画像を投影中にレリーズボタン１４から操作信号が入力されると、メモリ１０２上で画像データを、たとえば時計回転回りに９０度回転させた上で、回転処理後の画像データをプロジェクタ部１２０へ送出する。なお、ＣＰＵ１０１は、回転処理後の画像がプロジェクタ部１２０による投影範囲に収まるように、投影画像のアスペクト比に応じたサイズ変換処理も合わせて行う。たとえば、図５の投影像のアスペクト比が横４：縦３の比率で表される場合には、回転処理後の画像について、縦方向、横方向それぞれに３／４の画素数で表すようにデータサイズを縮小処理する。この結果、図６に示すように、回転処理および縮小処理が施された画像が投影される。
【００４０】
ＣＰＵ１０１は、レリーズボタン１４から操作信号が入力されるごとに上記サイズ変換処理および回転処理を繰り返すように構成されている。サイズ変換処理は、上記アスペクト比に応じて縦横それぞれ３／４の画素数に縮小する縮小処理と、縦横それぞれ４／３の画素数に拡大する拡大処理とが交互に行われる。したがって、レリーズボタン１４が４回続けて操作される場合には、投影画像が時計回転回りに１周するとともに、投影画像のサイズはレリーズボタン１４が操作される前と同一のサイズに戻る。
【００４１】
図４のステップＳ５において、ＣＰＵ１０１は、記録日時が最も新しい画像データをメモリカード２５０（もしくは内部メモリ）から読出し（デフォルト設定ではメモリカード２５０から読出す）、読出した画像データをプロジェクタ部１２０へ送出してステップＳ６へ進む。これにより、ＣＰＵ１０１がプロジェクタ部１２０へ送出した画像データによる再生画像が投影される。なお、ＣＰＵ１０１は、投影中の画像のデータファイルに対応付けられて音声データが記憶されている場合には、当該音声データによる音声をスピーカ１０５から再生する。画像データは、静止画−動画−静止画−静止画…のように混在していてもよい。
【００４２】
ステップＳ６において、ＣＰＵ１０１は、ユーザーによる操作が行われたか否かを判定する。ＣＰＵ１０１は、操作部材１０３（図３）から操作信号が入力されると、ステップＳ６を肯定判定してステップＳ７へ進み、操作部材１０３から操作信号が入力されない場合には、ステップＳ６を否定判定してステップＳ１０へ進む。
【００４３】
ステップＳ１０において、ＣＰＵ１０１はタイムアップか否かを判定する。ＣＰＵ１０１は、内蔵タイマーが所定時間（たとえば、５秒）を計時するとステップＳ１０を肯定判定してステップＳ５へ戻り、所定時間に達していない場合にはステップＳ１０を否定判定し、ステップＳ６へ戻る。
【００４４】
ステップＳ５へ戻る場合は、いわゆるスライドショー投影を行う場合である。すなわち、メモリカード２５０（もしくは内部メモリ）から読出された画像データによる画像が投影され、５秒間を計時するとメモリカード２５０（もしくは内部メモリ）から次の画像データが読出され、投影中の画像が後から読出された画像データによる投影画像に順次更新される。なお、スライドショー投影における１画像当たりの投影時間は、上記５秒間に限らず、適宜設定変更可能に構成されている。
【００４５】
ステップＳ７において、ＣＰＵ１０１はモード切替操作か否かを判定する。ＣＰＵ１０１は、ユーザー操作が投影切替えスイッチ１９Ａ（図２）による操作の場合、ステップＳ７を肯定判定してステップＳ８へ進み、投影切替えスイッチ１９Ａ（図２）による操作でなく、投影モードの終了操作の場合には、ステップＳ７を否定判定してステップＳ１１へ進む。
【００４６】
ステップＳ８において、ＣＰＵ１０１は、プロジェクタ部１２０へ送出する画像データを、上記（１）→（２）→（３）→（４）→（１）…の順に１つ切替えてステップＳ９へ進む。ステップＳ９において、ＣＰＵ１０１は、プロジェクタ部１２０へ送出する画像データが上記（１）または（３）に対応する画像（すなわち、記録画像）か否かを判定する。ＣＰＵ１０１は、プロジェクタ部１２０へ送出する画像データが記録画像である場合にステップＳ９を肯定判定してステップＳ５へ戻り、プロジェクタ部１２０へ送出する画像データが上記（２）または（４）に対応する画像（すなわち、非記録画像）である場合にはステップＳ９を否定判定し、ステップＳ７へ戻る。
【００４７】
ステップＳ１１において、ＣＰＵ１０１は、プロジェクタ部制御回路１２４へ投影終了を指示するとともに、レリーズボタン１４（図１）の機能変更を解除して図４による処理を終了する。これにより、プロジェクタ部１２０においてＬＥＤ光源１２３が消灯される。
【００４８】
以上説明した第一の実施形態によれば、次の作用効果が得られる。
（ａ）プロジェクタ付き電子カメラ１０は、投影モードに切替えられると、撮影レンズ１１（２２１）の鏡筒Ｐ（図１）を筐体内へ沈胴する（ステップＳ３）。この結果、プロジェクタ部１２０による投影光の投影画角内に鏡筒Ｐが含まれるおそれがなくなり、投影像の一部が欠けることが防止される。
【００４９】
（ｂ）プロジェクタ付き電子カメラ１０は、投影モードに切替えられると、レリーズボタン１４を投影画像の向きを回転させるための操作部材として扱うように機能変更する（ステップＳ４）。プロジェクタ付き電子カメラ１０は、レリーズボタン１４から操作信号が入力されると、メモリ１０２上で画像データを時計回転回りに９０度回転させた上で、回転処理後の画像がプロジェクタ部１２０による投影範囲に収まるように投影画像のアスペクト比に応じたサイズ変換処理を施してプロジェクタ部１２０から投影する。したがって、投影するコンテンツに横長画面用のコンテンツと縦長画面用のコンテンツが混在する場合でも、コンテンツごとにプロジェクタ付き電子カメラ１０の載置方向を変えることなく、レリーズボタン１４の押下という簡単な操作によって常に正立した投影像を得ることができる。なお、投影画像の回転方向は、反時計回転回りに行うように構成してもよい。カメラ上面に設けられたボタン（レリーズボタン）を用いて、投影画像を回転させるようにしたので、たとえば投影動作中であっても、カメラを特に保持することなく、投影画像の回転操作を行える。これにより、カメラの上面以外の面（たとえば背面）に設けられたボタンを用いて投影画像の回転操作を行う場合と異なり、操作部材の操作に伴ってカメラが動いて投影中の画像の位置が移動するおそれを低減できる。
【００５０】
（ｃ）プロジェクタ付き電子カメラ１０は、投影モードに切替えられると、メモリカード２５０に記録されている画像データによる再生画像を自動的にスライドショー投影する（ステップＳ４〜ステップＳ１０）ようにしたので、投影モードに切替え後、投影ランプのオン操作や投影画像の選択操作を行わなくてもよい。この結果、プロジェクタ付き電子カメラ１０の投影モードにおける使い勝手がよくなる。
【００５１】
（ｄ）プロジェクタ付き電子カメラ１０は、投影モードにおいて画像投影中に投影切替えスイッチ１９Ａ（図２）から入力される操作信号に応じて、上記（１）〜（４）に対応する投影像をサイクリックに切替えるようにした。これにより、プロジェクタ付き電子カメラ１０へ入力される画像のデータ形式、信号形式にかかわらず、再生画像をプロジェクタ部１２０によって投影できる上に、投影画像の選択を簡単な操作で行うことができる。
【００５２】
上述した説明では、プロジェクタ付き電子カメラ１０が投影モードに切替えられた場合、メモリカード２５０に記録されている画像データを選択し、選択した画像データによる再生画像を自動的にスライドショー投影する（図４においてステップＳ５を最初に行う場合はメモリカード２５０から読出す）例を説明した。この代わりに、上記（３）に対応する内部メモリに記録されている画像データによる再生画像を投影するようにしてもよい。
【００５３】
また、プロジェクタ付き電子カメラ１０が投影モードに切替えられた場合、上記（２）もしくは（４）に対応する画像を選択して投影してもよい。
【００５４】
（第二の実施形態）
電子カメラの電源として充電池が使用され、この充電池を充電するための電流を電子カメラへ供給する電子カメラ用補助装置にプロジェクタ装置が内蔵されている場合にも、本発明を適用することができる。この場合の電子カメラ用補助装置は、電子カメラに充電電流（電力）を供給したり、再生画像を投影したりするクレードルとして構成される。一般的に、クレードルへの電子カメラの載置状態で、撮影動作が行われることは少ない。
【００５５】
図７は、電子カメラシステムを構成する電子カメラ１０Ａがクレードル２０上に載置されている状態を説明するブロック図である。
（クレードル）
図７において、クレードル２０はプロジェクタ部１２０と、ＣＰＵ１５１と、メモリ１５２と、操作部材１５３と、ビデオインターフェイス(VIDEO I/F)１５５と、ＬＡＮインターフェイス(LAN I/F)１５６と、ＵＳＢインターフェイス(USB I/F)１５７と、外部電源回路１５８と、カメラインターフェイス１６０と、スピーカ１５９とを有する。着脱可能なメモリカード１５４は、クレードルの筐体に設けられたメモリスロット（不図示）内に実装されている。 
【００５６】
ＣＰＵ１５１は、クレードル制御プログラムに基づいて、クレードル２０を構成する各部から入力される信号を用いて所定の演算を行うなどしてクレードル２０の各部に対する制御信号を送出することにより、通信動作およびプロジェクタ動作の制御を行う。なお、クレードル制御プログラムはＣＰＵ１５１内の不図示の不揮発性メモリに格納されている。
【００５７】
メモリ１５２はＣＰＵ１５１の作業用メモリとして使用される。メモリカード１５４はフラッシュメモリなどの不揮発性メモリによって構成され、ＣＰＵ１５１の指令によりデータの書き込み、保存および読み出しが可能である。
【００５８】
ビデオインターフェイス(VIDEO I/F)１５５は、電子カメラ１０Ａがクレードル２０上に載置されている場合に電子カメラ１０Ａからカメラインターフェイス１６０を介して送信される画像データもしくはビデオ信号による再生画像や、電子カメラ１０Ａがクレードル２０上に載置されていない場合にメモリカード１５４から読出した画像データによる再生画像を、外部テレビモニタなどに表示するためのビデオ信号を生成する。外部テレビモニタなどをビデオインターフェイス(VIDEO I/F)１５５へ接続することにより、当該テレビモニタに再生画像が表示される。
【００５９】
ＬＡＮインターフェイス(LAN I/F)１５６は、ＣＰＵ１５１の指令により、ＬＡＮケーブル（不図示）で接続されている他の外部機器（たとえば、ＤＶＤ録画／再生機、監視カメラなど）との間でデータの送受を行う。ＵＳＢインターフェイス(USB I/F)１５７は、ＣＰＵ１５１の指令により、ＵＳＢケーブル５１を介して接続されている他の外部機器（たとえば、パーソナルコンピュータ、プリンタ、フォトデータストレージ装置など）との間でデータの送受を行う。
【００６０】
外部電源回路１５８は、ＡＣ／ＤＣ変換回路などで構成され、電源ケーブル（不図示）を介して入力される交流電圧をクレードル２０内の各部で必要な直流電圧に変換し、変換後の電圧を各ブロックへ供給する。外部電源回路１５８はさらに、電子カメラ１０Ａ内の充電池を充電するために必要な充電電流をカメラインターフェイス１６０を介して電子カメラ１０Ａへ供給する。
【００６１】
カメラインターフェイス１６０は、ＣＰＵ１５１の指令により、電子カメラ１０Ａがクレードル２０上に載置されている場合に電子カメラ１０Ａとの間でデータ通信や充電電流の供給を行う。カメラインターフェイス１６０には、制御信号を送受するコントロールインターフェイス(Control I/F)ライン、ビデオ信号を送受するビデオインターフェイス(VIDEO I/F)ライン、および画像データや音声データ（デジタル信号）を送受するデジタルインターフェイス(Digital I/F)ラインと、充電電流を供給する電源ラインとが含まれている。
【００６２】
スピーカ１５９は、ＣＰＵ１５１の指令により、ＣＰＵ１５１から出力されたり、電子カメラ１０Ａからカメラインターフェイス１６０を介して送信される音声データによる音声を再生する。操作部材１５３は、操作された各スイッチに対応する操作信号をＣＰＵ１５１へ送出する。
【００６３】
プロジェクタ部１２０の構成は、図３に例示した構成と同様なので説明を省略する。プロジェクタ部１２０は、投影を開始させるための操作信号が操作部材１５３からＣＰＵ１５１に入力された場合や、投影開始を指示する信号が電子カメラ１０Ａからカメラインターフェイス１６０を介してＣＰＵ１５１に入力された場合に、これら入力信号に応じてＣＰＵ１５１が出力する投影指令を受けると投影を開始する。
【００６４】
プロジェクタ部１２０は、ＣＰＵ１５１の指令により下記（１）〜（３）のいずれかに対応する画像を投影する。
【００６５】
（１）カメラインターフェイス１６０のデジタルインターフェイス(Digital I/F)ラインを介して電子カメラ１０Ａのメモリカード２５０、または不図示の内部メモリからＣＰＵ１０１Ａを介して送信される画像データによる再生画像
（２）カメラインターフェイス１６０のビデオインターフェイス(VIDEO I/F)ラインを介して電子カメラ１０Ａから送信されるビデオ信号による再生画像
（３）メモリカード１５４に記録されている画像データによる再生画像
【００６６】
（電子カメラ）
図７において、電子カメラ１０Ａは撮像部２２０と、ＣＰＵ１０１Ａと、メモリ１０２と、操作部材１０３と、外部インターフェイス（Ｉ／Ｆ）１０７と、マイク１０６と、スピーカ１０５と、液晶表示器１０４と、バッテリー１０９と、充電回路１０８と、クレードルインターフェイス１１０とを有し、不図示のメモリスロット内に着脱可能なメモリカード２５０およびチューナーカード２５５が実装されている。電子カメラ１０Ａは、図１および図２に示される電子カメラ１０と同様の外形構造を有し、さらにクレードルインターフェイス１１０を外部に露出可能な形態で有している。但し、プロジェクタ部を備えていないので、プロジェクタ投射窓１３は有していない。電子カメラ１０Ａの構成のうち、図３に例示した構成と共通するブロックについては図３と同一の符号を記し、当該ブロックについての説明を省略する。
【００６７】
ＣＰＵ１０１Ａは、カメラ制御プログラムに基づいて、電子カメラ１０Ａを構成する各部から入力される信号を用いて所定の演算を行うなどして電子カメラ１０Ａの各部に対する制御信号を送出することにより、カメラ動作の制御を行う。なお、カメラ制御プログラムはＣＰＵ１０１Ａ内の不図示の不揮発性メモリに格納されている。
【００６８】
バッテリー１０９は充電池により構成され、電子カメラ１０Ａ内の各部に必要な電力を供給する。充電回路１０８は、クレードルインターフェイス１１０を介してクレードル２０から供給される充電電流によりバッテリー１０９を充電する。
【００６９】
クレードルインターフェイス１１０は、電子カメラ１０Ａがクレードル２０上に載置されている場合にクレードル２０との間でデータ通信や充電電流の受電を行う。クレードルインターフェイス１１０には、制御信号を送受するコントロールインターフェイス(Control I/F)ライン、ビデオ信号を送受するビデオインターフェイス(VIDEO I/F)ライン、および画像データや音声データを送受するデジタルインターフェイス(Digital I/F)ラインと、充電電流が供給される電源ラインとが含まれている。
【００７０】
ビデオ信号は、液晶表示器１０４に画像やメニュー情報などを表示させるためにＣＰＵ１０１Ａが生成する信号である。撮像部２２０で取得された画像データは、メモリカード２５０に記録したり、上記クレードルインターフェイス１１０を介してクレードル２０へ送信可能に構成される。マイク１０６で集音された音声データについても、画像データとともメモリカード２５０へ記録したり、クレードルインターフェイス１１０を介してクレードル２０へ送信することが可能である。
【００７１】
以上の電子カメラシステムにおいて、クレードル２０上に載置されている電子カメラ１０Ａが再生動作モードに切替え操作されると、電子カメラ１０ＡのＣＰＵ１０１Ａは、クレードル２０のプロジェクタ部１２０を動作可能な状態（電源を供給し、ＬＥＤ光源１２３を点灯させた投影準備状態）にするとともに、投影開始を指示する信号をクレードルインターフェイス１１０を介してクレードル２０へ送信する。これによりクレードル２０のＣＰＵ１５１は、上記（１）に対応する複数の再生画像（電子カメラ１０Ａのメモリカード２５０、または不図示の内部メモリに記憶される複数の画像ファイルに対応する画像データによる再生画像）をプロジェクタ部１２０に順次スライドショー投影させる。なお、再生する画像データは、静止画−動画−静止画−静止画…のように混在していても構わない。また、上記（２）または（３）に対応する再生画像をスライドショー投影させる構成としても構わない。さらにまた、複数の再生画像を順次スライドショー投影する代わりに、電子カメラ１０Ａのメモリカード２５０、または不図示の内部メモリに記憶される所定の画像（たとえば、電子カメラ１０Ａにより一番最後に撮影された画像）を投影するように構成してもよい。
【００７２】
上記の説明においては、電子カメラ１０Ａのバッテリ１０９を充電するとともに、再生画像を投影するプロジェクタ部１２０を有するクレードル２０に、電子カメラ１０Ａを装着する例について説明したが、クレードル２０に代えて、充電回路を具備せずにプロジェクタ部１２０を有する投射型表示装置に電子カメラ１０Ａを装着する場合にも本発明を適用することができる。
【００７３】
また、クレードル２０の動作モードが電子カメラ１０Ａへ充電電流を供給する充電モードからプロジェクタ部１２０に再生画像を投影させる投影モードに切替え操作されると、クレードル２０のＣＰＵ１５１は、投影開始時に鏡筒Ｐ（図１）の沈胴を指示する信号をカメラインターフェイス１６０を介して電子カメラ１０Ａへ送信する。これにより電子カメラ１０ＡのＣＰＵ１０１Ａは、撮像部制御回路２２４へ沈胴指令（指示）を送出して鏡筒Ｐを沈胴させる。
【００７４】
クレードル２０は、電子カメラ１０Ａに内蔵されるバッテリー１０９の充電動作と、プロジェクタ部１２０による投影動作とを並行して行うように構成してもよい。プロジェクタ部１２０を駆動する電源として、電子カメラ１０Ａに内蔵されるバッテリ１０９ではなく、外部電源回路１５８より供給されるものを用いる構成とすれば、バッテリ１０９の消耗を低減することができる。
【００７５】
（変形例１）
電子カメラ１０Ａのバッテリー１０９への充電が終了すると、クレードル２０が充電モードから投影モードに自動的に切替わる構成にしてもよい。この場合のＣＰＵ１５１は、電子カメラ１０ＡのＣＰＵ１０１Ａから充電終了を示す信号を受けると、鏡筒Ｐ（図１）の沈胴を指示する信号を電子カメラ１０Ａへ送信するとともに、プロジェクタ部１２０に上記（１）に対応する複数の再生画像を順次スライドショー投影させる。また、上記（２）または（３）に対応する再生画像をスライドショー投影させる構成としても構わない。さらにまた、複数の再生画像を順次スライドショー投影する代わりに、電子カメラ１０Ａのメモリカード２５０、または不図示の内部メモリに記憶される所定の画像（たとえば、電子カメラ１０Ａにより一番最後に撮影された画像）を投影するように構成してもよい。
【００７６】
（変形例２）
また、電子カメラ１０Ａがクレードル２０上に載置された時点で、クレードル２０が投影モードに自動的に切替わる構成にしてもよい。この場合のＣＰＵ１５１は、電子カメラ１０Ａの載置状態を検出する（たとえば、所定時間ごとにカメラインターフェイス１６０内の所定端子の信号レベルを検出し、この信号検出値に基づいて電子カメラ１０Ａの載置を判定する）と、鏡筒Ｐ（図１）の沈胴を指示する信号を電子カメラ１０Ａへ送信するとともに、プロジェクタ部１２０を投影準備状態とし、さらに上記（１）に対応する複数の再生画像を順次スライドショー投影させる。また、上記（２）または（３）に対応する再生画像をスライドショー投影させる構成としても構わない。さらにまた、複数の再生画像を順次スライドショー投影する代わりに、電子カメラ１０Ａのメモリカード２５０、または不図示の内部メモリに記憶される所定の画像（たとえば、電子カメラ１０Ａにより一番最後に撮影された画像）を投影するように構成してもよい。上記のように、鏡筒Ｐが自動的に沈胴される構成とすれば、操作が簡略化されるとともに、鏡筒Ｐの方向とプロジェクタ部による投影方向が同じような場合に、投影光の投影画角内に鏡筒Ｐが含まれるおそれがなくなる。
【００７７】
（変形例３）
電子カメラ１０Ａがクレードル２０上に載置されているか否かの検出を、検出スイッチ１０００（たとえば、マイクロスイッチ）を用いて行うように構成してもよい。この場合のＣＰＵ１５１は、マイクロスイッチ１０００から送出される信号レベルを検出し、この信号検出値に基づいて電子カメラ１０Ａの載置状態を判定する。ＣＰＵ１５１は、電子カメラ１０Ａの載置を判定した場合、鏡筒Ｐ（図１）の沈胴を指示する信号を電子カメラ１０Ａへ送信するとともに、動作モードを投影モードに設定し、プロジェクタ部１２０に上記（１）に対応する複数の再生画像を順次スライドショー投影させる。また、上記（２）または（３）に対応する再生画像をスライドショー投影させる構成としても構わない。さらにまた、複数の再生画像を順次スライドショー投影する代わりに、電子カメラ１０Ａのメモリカード２５０、または不図示の内部メモリに記憶される所定の画像（たとえば、電子カメラ１０Ａにより一番最後に撮影された画像）を投影するように構成してもよい。
【００７８】
（第三の実施形態）
プロジェクタ付き電子カメラと、プロジェクタ装置が内蔵されていない電子カメラ用補助装置とで電子カメラシステムを構成する場合にも、本発明を適用することができる。図８は、この場合のプロジェクタ付き電子カメラ１０Ｂがクレードル２０Ａ上に載置されている状態を説明するブロック図である。図８において、第二の実施形態を説明した図７の構成と同一部材には、同一符号を記して説明を省略する。電子カメラ１０Ｂは、図１および図２に示される電子カメラ１０と同様の外形構造を有し、さらにクレードルインターフェイス１１０を外部に露出可能な形態で有している。
【００７９】
電子カメラ１０ＢのＣＰＵ１０１Ｂは、電子カメラ１０Ｂがクレードル２０Ａ上に載置されているか否かを判定する。載置状態の判定は、たとえば、クレードルインターフェイス１１０内の所定端子の信号レベルを検出し、この信号検出値に基づいて電子カメラ１０Ｂの載置状態を判定する。所定端子には、クレードル２０Ａ側に配設されているマイクロスイッチ１０００の作動状態を示す信号が、クレードル２０ＡのＣＰＵ１５１Ａから送信されるように構成されている。
【００８０】
電子カメラ１０Ｂのクレードル２０Ａへの載置状態を判定したＣＰＵ１０１Ｂは、鏡筒Ｐ（図１）の沈胴を指示する信号を撮像部２２０へ送信するとともに、プロジェクタ部１２０に投影開始を指示する信号を送り、上記（１）に対応する複数の再生画像を順次スライドショー投影させる。具体的には、上記（１）に対応する複数の再生画像（電子カメラ１０Ｂのメモリカード２５０、または不図示の内部メモリに記憶される複数の画像ファイルに対応する画像データによる再生画像）をプロジェクタ部１２０に順次スライドショー投影させる。なお、再生する画像データは、静止画−動画−静止画−静止画…のように混在していても構わない。また、上記（２）または（３）に対応する再生画像をスライドショー投影させる構成としても構わない。さらにまた、複数の再生画像を順次スライドショー投影する代わりに、電子カメラ１０Ｂのメモリカード２５０、または不図示の内部メモリに記憶される所定の画像（たとえば、電子カメラ１０Ｂにより一番最後に撮影された画像）を投影するように構成してもよい。
【００８１】
電子カメラ１０Ｂがクレードル２０Ａ上に載置されているか否かを判定するために、検出スイッチ１０００を電子カメラ１０Ｂ側に備えるように構成してもよい。この場合のＣＰＵ１０１Ｂは、上記クレードルインターフェイス１１０内の所定端子に代えて、検出スイッチ１０００からの信号レベルを直接検出し、この信号検出値に基づいて電子カメラ１０Ｂの載置状態を判定する。
【００８２】
特許請求の範囲における各構成要素と、発明を実施するための最良の形態における各構成要素との対応について説明する。撮影手段は、たとえば、撮像部２２０によって構成される。投影手段は、たとえば、プロジェクタ部１２０によって構成される。モード切替え操作部材は、たとえば、モード切替ダイヤル１５によって構成される。投影制御手段は、たとえば、ＣＰＵ１０１（ＣＰＵ１５１、ＣＰＵ１０１Ｂ）によって構成される。沈胴手段は、たとえば、鏡筒沈胴機構２２５によって構成される。レリーズ操作部材は、たとえば、レリーズボタン１４によって構成される。インターフェイス手段は、たとえば、クレードルインターフェイス１１０およびカメラインターフェイス１６０によって構成される。電子カメラ用補助装置は、たとえば、クレードル２０（２０Ａ）によって構成される。沈胴制御手段は、たとえば、ＣＰＵ１０１Ｂによって構成される。なお、以上の説明はあくまで一例であり、発明を解釈する上で、上記の実施形態の構成要素と本発明の構成要素との対応関係に何ら限定されるものではない。
【図面の簡単な説明】
【００８３】
【図１】本発明の第一の実施形態によるプロジェクタ付き電子カメラを前方側から見た斜視図である。
【図２】図１のプロジェクタ付き電子カメラを後方側から見た斜視図である。
【図３】プロジェクタ付き電子カメラの構成を説明するブロック図である。
【図４】ＣＰＵが投影モード時に実行するプログラムの処理の流れについて説明するフローチャートである。
【図５】横向き画像が投影された例を示す図である。
【図６】回転処理および縮小処理が施された投影画像を示す図である。
【図７】第二の実施形態による電子カメラシステムの構成を説明するブロック図である。
【図８】第三の実施形態による電子カメラシステムの構成を説明するブロック図である。
【符号の説明】
【００８４】
１０（１０Ｂ）…プロジェクタ付き電子カメラ
１０Ａ…電子カメラ
１１（２２１）…撮影レンズ
１３…プロジェクタ投射窓
１４…レリーズボタン
１５…モード切替ダイヤル
１７（１０４）…液晶表示器
１９（１０３）…操作部材
１９Ａ…投影切替えスイッチ
２０（２０Ａ）…クレードル
１０１，１０１Ａ，１０１Ｂ，１５１，１５１Ａ…ＣＰＵ
１０８…充電回路
１０９…バッテリー
１１０…クレードルインターフェイス
１２０…プロジェクタ部
１５８…外部電源回路
１６０…カメラインターフェイス
２２０…撮像部
２２５…鏡筒沈胴機構
２５０…メモリカード
２５５…チューナーカード
１０００…検出スイッチ
Ｐ…鏡筒
【図１】
2006222547.tif 000003
【図２】
2006222547.tif 000004
【図３】
2006222547.tif 000005
【図４】
2006222547.tif 000006
【図５】
2006222547.tif 000007
【図６】
2006222547.tif 000008
【図７】
2006222547.tif 000009
【図８】
2006222547.tif 000010